(57)【特許請求の範囲】
【請求項１】
寝具の上に敷くシート本体と、このシート本体の表面に長く盛り上がった突起を着脱自在に設けるための二重構造部と、この二重構造部に収納されて、前記突起を形成する収納物と、前記二重構造部の上部を形成する構造上部と、前記二重構造部の下部を形成する構造下部と、前記構造上部の周囲４辺のうち、長手方向の２長辺で前記シート本体と連続する上部連続長辺と、他の２短辺で前記シート本体と不連続となる上部不連続短辺と、前記構造下部の周囲４辺のうち、長手方向の２長辺で前記シート本体と不連続となる下部不連続長辺と、他の１短辺で前記シート本体と不連続となる下部不連続短辺と、残りの１短辺で前記シート本体と連続となる下部連続短辺と、線ファスナーを構成するために、前記下部不連続長辺に設けられた務歯の第１歯列と、この第１歯列と噛み合う位置で前記上部連続長辺に、前記構造上部の内面に設けられた第２歯列と、前記第１歯列と噛み合う位置で前記上部連続長辺に、前記構造上部の外面に設けられた第３歯列と、前記噛み合わせを行うスライダーと、を有することを特徴とする安眠寝具シート。
【請求項２】
前記突起を複数設けるため、前記二重構造部及び収納物を複数有することを特徴とする請求項１に記載の安眠寝具シート。
【発明の詳細な説明】
【技術分野】
【０００１】
この発明は、寝具の上に敷くシートの表面に盛り上がった突起を着脱自在に設けることができる安眠寝具シートに関する。
【背景技術】
【０００２】
寝具の上に盛り上がった突起を設けることは、色々な目的から、必要とされる。例えば、下記特許文献１には、鼾を防止するために、就寝者の体を左右から支える突起が設けられる。また、寝返りをしても、寝具から外れてしまわない枕としての突起が必要とされる場合も考えられる。
【先行技術文献】
【特許文献】
【０００３】
【特許文献１】特開２００１−２９２８６７
【発明の概要】
【発明が解決しようとする課題】
【０００４】
しかしながら、下記特許文献１の突起は、寝具に面ファスナーにより着脱自在に固定されるものであり、汚れが問題となる。すなわち、突起が汚れないように突起にカバーを被せると、固定のための面ファスナーは、このカバーに設けることになり、カバーが動きやすいことから、面ファスナーが動き、突起の固定位置がずれてしまう。
【０００５】
このため発明者は、寝具の上に敷くシート本体に二重構造部を設け、この二重構造部に、突起を形成する収納物を収納することを創作した。そうすれば、収納物はシートと一体の二重構造部に覆われ、汚れにくい。また、二重構造部に合う大きさの収納物を収納すれば、突起すなわち収納物の固定位置がずれてしまうこともない。
【０００６】
しかしながら、突起を使用しないときに収納物を取り去ると、シートの表面に二重構造部が残ったままとなり、就寝者の体に接触したり、引っかかったりして、邪魔になってしまう。
【０００７】
この発明は、以上の問題点を解決するために、寝具の上に敷くシートに着脱自在に突起を形成でき、この突起が汚れにくく、突起の位置がずれてしまうこともなく、突起を使用しないときに、シートの表面に邪魔な部分が残ったままとなることのない安眠寝具シートを提供することを目的とする。
【課題を解決するための手段】
【０００８】
以上の課題を解決するために、第一発明は、寝具の上に敷くシート本体と、このシート本体の表面に長く盛り上がった突起を着脱自在に設けるための二重構造部と、この二重構造部に収納されて、前記突起を形成する収納物と、前記二重構造部の上部を形成する構造上部と、前記二重構造部の下部を形成する構造下部と、前記構造上部の周囲４辺のうち、長手方向の２長辺で前記シート本体と連続する上部連続長辺と、他の２短辺で前記シート本体と不連続となる上部不連続短辺と、前記構造下部の周囲４辺のうち、長手方向の２長辺で前記シート本体と不連続となる下部不連続長辺と、他の１短辺で前記シート本体と不連続となる下部不連続短辺と、残りの１短辺で前記シート本体と連続となる下部連続短辺と、線ファスナーを構成するために、前記下部不連続長辺に設けられた務歯の第１歯列と、この第１歯列と噛み合う位置で前記上部連続長辺に、前記構造上部の内面に設けられた第２歯列と、前記第１歯列と噛み合う位置で前記上部連続長辺に、前記構造上部の外面に設けられた第３歯列と、前記噛み合わせを行うスライダーと、を有することを特徴とする安眠寝具シートである。
【０００９】
第二発明は、さらに、前記突起を複数設けるため、前記二重構造部及び収納物を複数有することを特徴とする安眠寝具シートである。
【発明の効果】
【００１０】
第一、又は第二発明によれば、寝具の上に敷くシート本体に二重構造部を設け、この二重構造部に、突起を形成する収納物を収納するので、収納物はシートと一体の二重構造部に覆われ、汚れにくい。また、二重構造部に合う大きさの収納物を収納すれば、突起すなわち収納物の固定位置がずれてしまうこともない。
【００１１】
また、突起を使用するときと、しないときでは、線ファスナーが備える３つの歯列のうち２つを組み合わせる、組合せを変えることで、シートの表面に二重構造部の構造上部が残ったままにならないようにできる。
すなわち、突起を使用するときには、二重構造部に収納物を収納した状態で、構造下部の第１歯列と、構造上部の内面に設けられた第２歯列と、を組合せ、スライダーで噛み合わせ、構造下部を閉じる。
【００１２】
突起を使用しないときには、スライダーで第１歯列と第２歯列の噛み合わせを解除し、構造下部を開き、二重構造部から収納物を取り去る。取り去った状態で、開いた構造下部から構造上部を下方へ落とし込む。そして、構造下部を、構造上部の下部不連続短辺が形成する隙間から、構造上部の上方へ移動させる。その後に、構造下部の第１歯列と、構造上部の外面に設けられた第３歯列と、を組合せ、スライダーで噛み合わせ、構造下部を閉じる。  
この閉じられた構造下部の下に、構造上部、及び使用されない第２歯列が位置することになるので、シートの表面には、構造上部が残ったままにならないようにできるのみならず、第２歯列も残らない。よって、シートの表面の平滑性が保たれる。
【００１３】
第二発明によれば、さらに、二重構造部及び収納物を複数有することで、突起を複数設けることができる。そして、設ける突起の位置や組合せを変えることで、これらの突起で支えられる就寝者の寝姿を、色々に、選択することができる。また、突起として設けられる枕の位置を、色々に、選択することができる。
【図面の簡単な説明】
【００１４】
【図１】この発明の一実施形態を示す安眠寝具シートの要部を示すもので、（Ａ）は透視して表した上方からの斜視図、（Ｂ）は使用する線ファスナーを構成する歯列を別個に示す図、（Ｃ）は（Ａ）のＣ部拡大図、（Ｄ）は（Ｃ）の断面図、（Ｅ）は（Ａ）の収納物を取り去った状態を下方から見た斜視図、（Ｆ）は（Ｅ）を上方から透視して見た斜視図、（Ｇ１）は（Ｆ）のＧ部拡大図、（Ｇ２）は（Ｇ１）の断面である。
【図２】図１の要部を続いて示すもので、（Ｈ）は構造上部を下方へ落とし込む状態を下方から見た斜視図、（Ｉ）は（Ｈ）を上方から見た斜視図、（Ｊ）は構造下部１５を、構造上部１３の上方へ移動させた状態を上方から見た斜視図、（Ｋ）は（Ｊ）の構造下部１５を閉じた状態を上方から見た斜視図、（Ｌ）は（Ｋ）を下方から見た斜視図である。
【図３】（１）（２）（３）（４）はこの発明の一実施形態を示す安眠寝具シートの使用状態を示す斜視図である。
【図４】（５）（６）（７）（８）はこの実施形態を示す安眠寝具シートの他の使用状態を示す斜視図である。
【図５】（９）（１０）（１１）はこの実施形態を示す安眠寝具シートのさらに他の使用状態を示す斜視図である。
【発明を実施するための形態】
【００１５】
この発明の一実施形態を、図１から図５に示す。
図３〜図５に示すように、この実施形態の安眠寝具シート１は、寝具２の上にかけられたシート３に対して長く盛り上がった突起５を、シート３の幅方向及び縦方向へ合計５本（図４（７）参照）、選択的に、着脱自在に設けられる。
【００１６】
図１及び図２に、各突起５が設けられる構造と、その機能を示す。
すなわち、ベッドなどの寝具の上に敷くシート本体７の一部を図示する。このシート本体７の表面に、長く盛り上がった突起５を着脱自在に設ける。そのために、シート本体７と一体的に、かまぼこ型で略袋状の二重構造部９が形成される。この二重構造部９に収納物１１が収納されて、突起５を形成する。この実施形態では、収納物１１は、縦に長く、楕円断面を有する。この収納物１１が収納されたときに、二重構造部９は、収納物１１とぴったりと密着する大きさに、収納物１１と二重構造部９が形成される。
【００１７】
二重構造部９の上部を形成する構造上部１３は、収納物１１が収納された状態で、断面が、アーチ状を形成する。すなわち、かまぼこ型で、かまぼこ型の前後の部分は存在しない筒状である。
二重構造部９の下部を形成する構造下部１５は、底蓋ともいうべき部分であり、収納物１１が収納された状態で、収納物１１に引っ張られ、ほぼ平面を維持する。
構造上部１３の周囲４辺のうち、長手方向の２長辺は、シート本体７と連続して、上部連続長辺１７を形成する。他の２短辺は、シート本体７と不連続となる上部不連続短辺１９を形成する。
【００１８】
構造下部１５の周囲４辺のうち、長手方向の２長辺はシート本体７と不連続となる下部不連続長辺２１を形成する。他の１短辺、すなわち図１（Ａ）の奥側の１短辺は、シート本体７と不連続となる下部不連続短辺２３を形成する。残りの１短辺、すなわち図１（Ａ）（Ｅ）の手前側の１短辺は、シート本体７と連続となる下部連続短辺２５を形成する。よって、構造下部１５の周囲４辺は、３辺がシート本体７と不連続となり、構造下部１５はいわば舌状となる。図１（Ｅ）では、この舌状の部分は、巻かれた状態となっている。  構造下部１５をシート本体７に対して開閉するために、線ファスナー２７を用いる。この線ファスナー２７は、３つの歯列を備え、うち２つを組み合わせて使用する。つまり、収納物１１を収納したときと取り去ったときでは、組合せを変える。組合せを変えることで、後述するように、シート３の表面に二重構造部９の構造上部１３が残ったままにならないようにできる。
【００１９】
線ファスナー２７は、スライドファスナー、ジッパー、チャックなどとも呼称される。その構造は、務歯またはエレメントと呼ばれる歯からなる歯列２９を、テープ状の基材に並べて取り付ける。この実施形態では、基材は、図に表示しない。その取付けられた歯列２９を、左右対象に並べて一組とし、その一組の間で、歯列２９に沿ってスライダー３１をスライドさせることで、スライダー３１が左右の務歯同士を順に引き込み噛み合わせていき、左右の基材を閉じることができる。スライダー３１をスライドさせる方向を逆にすることで、開くことができる。そのようにして自在に開閉できる構造になっている。
【００２０】
図１（Ｅ）に示すように、この実施形態では、線ファスナー２７を構成するために、構造下部１５の下部不連続長辺２１に務歯の第１歯列３３が設けられる。この第１歯列３３と噛み合う位置で、構造上部１３の内面の上部連続長辺１７に、第２歯列３５が設けられる。図１（Ｆ）に示すように、さらに、第１歯列３３と噛み合う位置で、構造上部１３の外面の上部連続長辺１７に、第３歯列３７が設けられる。噛み合わせを行うスライダー３１は、第２歯列３５に１つ、第３歯列３７に１つ取付けられている（図１（Ｂ）（Ｆ））。
【００２１】
「実施形態の作用・効果」
（１）以上の実施形態によれば、使用状態（図１（Ａ）、図３〜図５）において寝具の上に敷くシート本体７に、一体に、二重構造部９を設け、この二重構造部９に、突起５を形成する収納物１１を収納するので、収納物１１はシート本体７と一体の二重構造部９に覆われ、汚れにくい。すなわち、突起５は汚れにくい。
【００２２】
（２）また、二重構造部９にぴったり合う大きさの収納物１１を収納すれば、突起５すなわち収納物１１の固定位置がずれてしまうことも全くない。
【００２３】
（３）また、突起５を使用するとき（図１（Ａ））と、しないとき（図２（Ｋ）（Ｌ））では、線ファスナー２７が備える３つの歯列２９（３３．３５．３７．図１（Ｂ）（Ｃ）参照）のうち２つを組み合わせる、組合せを変える。これにより、使用しないとき（図２（Ｋ）（Ｌ））には、シート３の表面に二重構造部９の構造上部１３が、シート本体７の上面に残ったままにならないようにできる。
すなわち、突起５を使用するとき（図１（Ａ））には、二重構造部９に収納物１１を収納した状態で、構造下部１５の第１歯列３３と、構造上部１３の内面に設けられた第２歯列３５と、を組合せ（図１（Ｃ）（Ｄ））、スライダー３１で噛み合わせ、構造下部１５を閉じる。
【００２４】
突起５を使用しないとき（図２（Ｋ）（Ｌ））には、まず、図１（Ｃ）のスライダー３１で第１歯列３３と第２歯列３５の噛み合わせを解除し、構造下部１５を開き（図１（Ｅ））、二重構造部９から収納物１１を取り去る。取り去った状態で、開いた構造下部１５から、萎んだ状態の構造上部１３（図１（Ｆ））を下方へ落とし込む（図１（Ｇ１）の矢印ｈ、図２（Ｈ）（Ｉ））。そして、舌状の構造下部１５（（図１（Ｅ））では巻かれている）を、上部不連続短辺１９が形成する隙間ｆ（図１（Ｆ））から、構造上部１３の上方へ引出して（図２（Ｊ））、構造上部１３の上に移動させる。
その後に、線ファスナー２７が備える３つの歯列２９の組合せを変える。すなわち、構造下部１５の第１歯列３３と、構造上部１３の外面に設けられた第３歯列３７と、を組合せ（図１（Ｇ１）の矢印Ｋ）、スライダー３１で噛み合わせ、構造下部１５を閉じる（図２（Ｋ）（Ｌ））。
【００２５】
この閉じられた構造下部１５の下に、構造上部１３、及び使用されない第２歯列３５が位置することになる（図１（Ｇ２）の矢印Ｌ、図２（Ｌ））ので、シート３の表面には、構造上部１３が残ったままにならないようにできるのみならず、第２歯列３５も残らない。よって、構造上部１３や第２歯列３５が就寝者４の体に触れず、シート３の表面の平滑性が保たれる。
【００２６】
（４）さらに、二重構造部９及び収納物１１を複数有することで、突起５を複数設けることができる。この実施形態では、図３〜図５、特に図４（７）に示すように、突起５を、シート３の幅方向及び縦方向へ合計５本、選択的に、着脱自在に設けられる。
図４（７）に示すように、突起５を、シート３の縦へ長く、シート３の幅方向に３本、互いに平行に設ける。さらに、これら３本の上と下において、シート３の横へ長く、縦方向に２本、互いに平行に、設ける。このように合計５本設ける。各突起５は、選択的に、着脱自在に設けられる。
【００２７】
図３（１）のように、シート３の上において、シート３の横へ長い突起５だけを選択して設け、この突起５を枕にすることができる。突起５は、就寝者４の首の分の隆起を有する。これにより、就寝姿勢の上向きが、生活習慣になっている場合、気道の確保をし、いびきの抑制を促す。
【００２８】
また、図３（２）のように、シート３の下において、シート３の横へ長い突起５だけを選択して設け、この突起５を、足をやや高く掲げる足枕にすることができる。この足枕の突起５は、枕の突起５よりもやや大きめに形成される。これにより、就寝者４の足の部分を、心臓より高くする事で、下半身の鬱血を回避し、快眠を促す。
【００２９】
さらに、図３（３）のように、シート３の縦へ長く、シート３の幅方向に３本設けうる突起５のうち、左右の２本の突起５だけを、選択して設け、この突起５を、寝具から就寝者４が転落しないストッパーにすることができる。同時に、就寝者４の寝返りによる上掛け寝具の移動を抑制し、快眠を促す。
【００３０】
また、図３（４）のように、シート３の縦へ長く、シート３の幅方向に３本の突起５を選択して設け、各突起５の間の狭い空間に就寝し、体の左右を各突起５に支えられ、鼾をかきにくい体勢にすることができる。すなわち、就寝者４の横向就寝姿勢を維持し、いびきの抑制を促す。就寝者４が必ず行う寝返りを、し易くし、本来の使用者の就寝姿勢である上向きを横向きに維持する事を、容易にする。
【００３１】
また、図４（５）のように、図３（１）（２）の２本の突起５だけを選択して設け、上の突起５を枕にし、下の突起５を足枕にすることができる。
また、図４（６）のように、図４（５）の２本の突起５と、図３（３）の２本の突起５とだけを選択して設け、上の突起５を枕にし、下の突起５を足枕にし、さらに、左右の突起５を、寝具から就寝者４が転落しないストッパーにすることができる。
また、図４（７）のように、図４（５）の２本の突起５と、図３（４）の３本の突起５とだけを選択して設け、上の突起５を枕にし、下の突起５を足枕にし、さらに、体の左右を各突起５に支えられ、鼾をかきにくい体勢にすることができる。
【００３２】
また、図４（８）のように、図４（６）の４本の突起５から、上の枕の突起５を除いて、３本の突起５を選択して設けることもできる。
また、図５（９）のように、図４（７）の５本の突起５から、上の枕の突起５を除いて、４本の突起５を選択して設けることもできる。
また、図５（１０）のように、図４（７）の５本の突起５から、下の足枕の突起５を除いて、４本の突起５を選択して設けることもできる。
【００３３】
また、図５（１１）のように、図４（６）の４本の突起５から、下の足枕の突起５を除いて、３本の突起５を選択して設けることもできる。
このように、設ける突起５の位置や組合せを変えることで、これらの突起５で支えられる就寝者４の寝姿を、色々に、選択することができる。また、突起５として設けられる枕の位置を、色々に、選択することができる。
すなわち、いびき、足のうっ血、寝具の離脱など使用者の様々な寝具、就寝スタイル、就寝姿勢にあわせて、その改善を促す安眠寝具シート１を提供できる。
【００３４】
「他の実施形態」
以上の実施形態では、突起５は、楕円断面を有するものであったが、他の実施形態では、他の断面形状、例えば楕円以外の円形、三角形、四角形などでも良い。
以上の実施形態では、構造上部１３は、かまぼこ型で、かまぼこ型の前後の部分は存在しない筒状であったが、他の実施形態では、かまぼこ型の前後の部分が設けられ、これらの前後の部分の下縁が、上部不連続短辺１９となるものでもよい。
【符号の説明】
【００３５】
１…安眠寝具シート、２・・寝具、３…シート、４・・就寝者、５…突起、７…シート本体、９…二重構造部、１１…収納物、１３…構造上部、１５…構造下部、１７…上部連続長辺、１９…上部不連続短辺、２１…下部不連続長辺、２３…下部不連続短辺、２５…下部連続短辺、２７…線ファスナー、２９…歯列、３１…スライダー、３３…第１歯列、３５…第２歯列、３７…第３歯列。
【図１】
0005554801.tif 000002
【図２】
0005554801.tif 000003
【図３】
0005554801.tif 000004
【図４】
0005554801.tif 000005
【図５】
0005554801.tif 000006